(57)【要約】【課題】手摺りの取付け、取外しを簡単に行なうことができる手摺り支持具を提供することである。【解決手段】壁面Ｗにねじ止めされる固定座１を中心として回転自在に支持された締付リング１１の内周に係合片１３を設ける。手摺りを支持するブラケット２２の端部に設けられた取付座２１の外周にＬ形のガイド溝２６を形成し、締付リング１１の回転操作により締付リング１１から取付座２１を着脱できるようにして、手摺りの取付け、取外しの容易化を図る。【選択図】　図２
2004124525.tif 000002
【特許請求の範囲】
【請求項１】
壁面にねじ止めされる固定座と、その固定座を中心にして回転自在に支持される締付リングと、その締付リングの内側に嵌合可能な取付座を端部に有する手摺り支持用のブラケットとから成り、前記締付リングと取付座の嵌合面における一方に複数の係合片を形成し、他方に前記係合片のそれぞれが挿入されるガイド溝を設け、そのガイド溝が軸方向溝部の閉塞端に周方向溝部が連続するＬ形をなし、前記周方向溝部と係合片の対向面における少なくとも一方に前記締付リングの締付け方向の回転によって取付座を固定座側に引き寄せる傾斜カム面を設けた手摺り支持具。
【請求項２】
前記取付座に前記固定座に形成されたねじ挿入孔と対向する位置にドライバ挿入孔を形成した請求項１に記載の手摺り支持具。
【発明の詳細な説明】
【０００１】
【発明の属する技術分野】
この発明は廊下や階段等の通路に沿って取付けられる手摺りの支持具に関するものである。
【０００２】
【従来の技術】
廊下や階段等の通路に沿って丸棒やパイプ等から成る棒状の手摺りを取付ける場合、普通、通路の壁面に複数のブラケットをねじの締付けにより取付け、そのブラケットによって手摺りを支持するようにしている。
【０００３】
【発明が解決しようとする課題】
ところで、上記手摺りは壁面から通路側に飛び出す取付けであるため、通路幅が狭くなり、家具等の荷物を運ぶ際に邪魔になることが多く、取外しを必要とする場合がある。このとき、従来では、ブラケットを固定するねじを取外して手摺りを取り除き、荷物の運搬後、再度、ねじを締付けてブラケットを取付けたり、ブラケットに手摺りを取付けるねじを取外して手摺りを取り除くようにしているため、手摺りの取付け、取外しに非常に手間がかかっていた。
【０００４】
この発明の課題は、手摺りの取付け、取外しを容易に行なうことができるようにした手摺り支持具を提供することである。
【０００５】
【課題を解決するための手段】
上記の課題を解決するために、この発明においては、壁面にねじ止めされる固定座と、その固定座を中心にして回転自在に支持される締付リングと、その締付リングの内側に嵌合可能な取付座を端部に有する手摺り支持用のブラケットとから成り、前記締付リングと取付座の嵌合面における一方に複数の係合片を形成し、他方に前記係合片のそれぞれが挿入されるガイド溝を設け、そのガイド溝が軸方向溝部の閉塞端に周方向溝部が連続するＬ形をなし、前記周方向溝部と係合片の対向面における少なくとも一方に前記締付リングの締付け方向の回転によって取付座を固定座側に引き寄せる傾斜カム面を設けた構成を採用したのである。
【０００６】
上記の構成から成る手摺り支持具は、壁面に固定座をねじ止めして、その固定座により締付リングを回転自在に支持し、その締付リングと取付座の一方に設けた係合片を他方に形成されたガイド溝の軸方向溝部内に挿入して、締付リング内に取付座を嵌合し、その嵌合後に締付リングを締付けて手摺り支持用のブラケットを固定する。
【０００７】
また、手摺り支持用ブラケットの取外しに際しては、締付リングを弛め、係合片をガイド溝の軸方向溝部に一致させたのち、ブラケットを引く操作によって締付リング内から取付座を引き抜くようにする。
【０００８】
ここで、取付座は、ブラケットに一体に形成してもよく、あるいは、ブラケットと取付座を別々に形成して、ブラケットに取付座を取付けるようにしてもよい。
【０００９】
前記取付座に、固定座に形成されたねじ挿入孔と対応する位置にドライバ挿入孔を形成しておくと、手摺りにブラケットを取付け、そのブラケットの取付座を固定座に支持された締付リング内に嵌合する支持具の組立て状態において、ドライバ挿入孔に挿入されるドライバにより固定座を取付けるねじの締付けを行なうことができるため、手摺りの取付け作業を能率よく行なうことができると共に、手摺りを支持する複数のブラケットを精度よく取付けることができる。
【００１０】
【発明の実施の形態】
以下、この発明の実施の形態を図面に基づいて説明する。図２に示すように、この発明に係る手摺り支持具は、壁面Ｗに取付けられる固定座１と、その固定座１を中心として回転自在に支持される締付リング１１と、その締付リング１１内に嵌合可能な取付座２１を端部に有するブラケット２２とから成っている。
【００１１】
図２および図５に示すように、固定座１は円形をなし、その一端部にフランジ２が形成されている。また、固定座１には前後に貫通する複数のねじ挿入孔３が形成されている。この固定座１はねじ挿入孔３に挿入されたねじ４の締付けによって壁面Ｗに固定される。
【００１２】
締付リング１１は、一端部内周に抜け止めフランジ１２を有し、他端部内周の対向位置には一対の係合片１３が形成されている。
【００１３】
締付リング１１は抜け止めフランジ１２内に固定座１が挿入される組付けとされる。その組付け状態において締付リング１１は固定座１を中心にして回転可能な支持とされ、固定座１に設けられたフランジ２に対する抜け止めフランジ１２の当接によって軸方向に移動するのが防止される。
【００１４】
取付座２１は締付リング１１の内側に嵌合可能とされ、ブラケット２２側の端部にはフランジ２３が設けられている。この取付座２１はねじ２４の締付けによってブラケット２２の一端部に固定されているが、ブラケット２２に一体に設けてもよい。
【００１５】
取付座２１には手摺り支持具の組立て状態で固定座１と対向する先端面に、その固定座１のフランジ２が嵌合可能な凹所２５が設けられている。
【００１６】
また、取付座２１の外周には、締付リング１１に設けられた一対の係合片１３のそれぞれが挿入可能な一対のガイド溝２６が対向位置に設けられている。
【００１７】
図３乃至図６に示すように、ガイド溝２６は、取付座２１の先端面から軸方向に延びる軸方向溝部２６ａと、その軸方向溝部２６ａの閉塞端から周方向に延びる周方向溝部２６ｂとから成るＬ形をなし、前記周方向溝部２６ｂの一側面には締付リング１１の締付け方向の回転時に、係合片１３で押されて取付座２１を固定座１側に引き寄せて固定座１の表面に圧接させる傾斜カム面２７が設けられている。
【００１８】
さらに、取付座２１には、固定座１に形成されたねじ挿入孔３と対応する位置にドライバ挿入孔２８が設けられている。
【００１９】
図１に示すように、ブラケット２２は弧状をなし、その他端部には棒状の手摺りＡを支持する受座２９が設けられ、その受座２９上に載置された手摺りＡは受座２９の下方から手摺りＡにねじ込まれる図示省略のねじによって固定される。
【００２０】
図２および図７において、３１は締付リング１１および取付座２１を覆うカバーを示す。カバー３１はブラケット２２の一端部が挿入可能な切欠部３２を有している。このカバー３１は取付座２１の一側方から、その取付座２１および締付リング１１の外側に嵌合され、内周に設けた複数の突起３３と締付リング１１の外周に設けられた段部１４の係合によって取付け状態に保持される。
【００２１】
実施の形態で示す手摺り支持具は上記の構造から成り、手摺りＡの取付けに際しては、手摺り支持具を組立て状態とし、ブラケット２２の受座２９を手摺りＡにねじ止めして、手摺りＡの長さ方向に間隔をおいて、複数の手摺り支持具を取付け、各取付座２１のドライバ挿入孔２８から固定座１のねじ挿入孔３内にねじ４を挿入し、ドライバ挿入孔２８内に挿入するドライバによりねじ４の締付けを行なって壁面Ｗに固定座１を取付ける。
【００２２】
ここで、手摺り支持具の組立てに際しては、締付リング１１の内側から抜け止めフランジ１２内に固定座１を挿入し、その締付リング１１の係合片１３を取付座２１に形成されたガイド溝２６の軸方向溝部２６ａ内に挿入し、その挿入後、締付リング１１を締付け方向に回転させる。
【００２３】
図６は、軸方向溝部２６ａ内に係合片１３を挿入する前の状態を示し、その係合片１３を軸方向溝部２６ａ内に挿入して締付リング１１を締付け方向に回転させると、係合片１３が周方向溝部２６ｂに沿って移動し、その移動時に、係合片１３が傾斜カム面２７を押圧するため、取付座２１は締付リング１１内に引き込まれて、図７に示すように、固定座１に密着し、その固定座１のフランジ２を締付リング１１と取付座２１とで挾持することになり、ガタのない組立て状態とされる。
【００２４】
上記のように、手摺り支持具を予め組立てて手摺りＡに取付け、その手摺り支持具の固定座１をねじ４の締付けにより壁面Ｗに取付けることによって、手摺りＡを能率よく取付けることができると共に、ブラケット２２の取付け位置の精度がよく、手摺りＡを安定よく確実に取付けることができる。
【００２５】
図１および図２は、手摺りＡの取付け状態を示し、取付座２１および締付リング１１はカバー３１によって覆われている。
【００２６】
上記のような手摺りＡの取付け状態において、カバー３１を外し、締付けリング１１を弛め方向に回転すると、係合片１３がガイド溝２６の軸方向溝部２６ａと軸方向で対向し、その状態でブラケット２２を引くと、係合片１３が軸方向溝部２６ａから抜け出し、手摺りＡを壁面Ｗから取外すことができる。
【００２７】
また、上記と逆に、ガイド溝２６の軸方向溝部２６ａを締付リング１１の係合片１３に対向してブラケット２２を押し込むと、締付リング１１内に取付座２１が嵌合し、その嵌合後、締付リング１１を締付け方向に回転すると、係合片１３が傾斜カム面２７を押圧し、その押圧により取付座２１が締付リング１１内に引き込まれて固定座１に密着し、手摺りＡは取付け状態とされる。
【００２８】
このように、締付リング１１を回転させることによって取付座２１を締付リング１１に対して着脱することができるため、手摺りＡの取付け、取外しをきわめて簡単に行なうことができる。
【００２９】
実施の形態では、締付リング１１の内周に係合片１３を設け、取付座２１の外周にＬ形のガイド溝２６を形成したが、締付リング１１の内周にＬ形のガイド溝を設け、取付座２１の外周に係合片を設けるようにしてもよい。
【００３０】
また、実施の形態では、周方向溝部２６ｂに傾斜カム面２７を形成したが、係合片１３に傾斜カム面を形成してもよい。
【００３１】
【発明の効果】
以上のように、この発明においては、締付リングを回転させることによって、その締付リングに対して取付座を着脱させることができるため、手摺りの取付け、取外しを簡単に行なうことができると共に、締付リングを締付け方向に回転させると、係合片が傾斜カム面を押圧して取付座を固定座に圧接させるため、きわめて安定した強固な取付け状態を得ることができる。
【００３２】
また、手摺り支持具の組立て状態において固定座を壁面に取付けることができるため、手摺りの初期の取付け作業を能率よく行なうことができると共に、ブラケットを取付け位置に精度よく取付けることができる。
【図面の簡単な説明】
【図１】この発明に係る手摺り支持具によって手摺りを取付けた状態の縦断側面図
【図２】図１に示すブラケットの取付部を示す断面図
【図３】図２のＩＩＩ　−ＩＩＩ　線に沿った断面図
【図４】図２のＩＶ−ＩＶ線に沿った断面図
【図５】固定座、締付リングおよび取付座を示す分解斜視図
【図６】取付座に設けたガイド溝の展開図
【図７】ブラケットの取付け前の状態を示す断面図
【符号の説明】
Ｗ　壁面
１　固定座
３　ねじ挿入孔
１１　締付リング
１３　係合片
２１　取付座
２２　ブラケット
２６　ガイド溝
２６ａ　軸方向溝部
２６ｂ　周方向溝部
２７　傾斜カム面
２８　ドライバ挿入孔
【図１】
2004124525.tif 000003
【図２】
2004124525.tif 000004
【図３】
2004124525.tif 000005
【図４】
2004124525.tif 000006
【図５】
2004124525.tif 000007
【図６】
2004124525.tif 000008
【図７】
2004124525.tif 000009